(57)【要約】【課題】安定したパチンコ球の打ち出しを行う。【解決手段】球送り装置６５のケース７０であって、通路構成部材と対面する側面７０ｂに、排出口７６と、排出口７６から排出されるパチンコ球を受ける球受け部７７とを設ける。球受け部７７の側面から下面にかけてスリット７８を設ける。球受け部７７に受け入れられたパチンコ球が打出位置にセットされた後、発射装置４５が駆動して、ノックアーム５５が回動する。この回動の際に、打出杵６１の先端がスリット７８から球受け部７７の内部に入り込み、打出位置にセットされたパチンコ球１１０に当接される。これにより、パチンコ球１１０が遊技領域に向けて打ち出される。【選択図】図５
2008036310.tif 000002
【特許請求の範囲】
【請求項１】
打出位置にセットされたパチンコ球を遊技領域に打ち出す打出アームを備えた発射装置と、受容皿から整列された状態で送り込まれたパチンコ球を発射装置に向けて１球ずつ送り込む球送り装置とを備え、前記球送り装置及び発射装置が組み込まれる弾球遊技機において、
前記球送り装置は、パチンコ球を１球ずつ送り出す送り出し機構と、該送り出し機構を保持するとともに、前記打出アームによって打ち出された直後のパチンコ球が通過する発射通路の一部を形成する外壁面を備えたケースとを有し、
前記ケースの外壁面に、前記打ち出し位置に向けてパチンコ球を送り出す送出口と、前記送出口から送り出されたパチンコ球を受け入れて、該パチンコ球を取り囲む空間内に保持することで前記パチンコ球を打出位置にセットする球受け部とを設け、
前記球受け部に、前記打出位置にセットされたパチンコ球を打出アームによって打ち出す際に、前記打出アームの打出杵が前記空間内に挿入される挿入部を備えたことを特徴とする弾球遊技機。
【請求項２】
前記発射装置は、前記遊技領域が形成される遊技盤を保持する遊技機本体に組み付けられ、且つ、前記打出アーム及び球送り装置が組み付けられるベース部材を備え、
前記ケースは、前記ベース部材に組み付ける際に前記ベース部材と対峙する面とは反対側の面から突出する筒部を備え、この筒部の外壁面に、受容皿から送り込まれたパチンコ球を受け入れる受入口を設けたことを特徴とする請求項１記載の弾球遊技機。
【請求項３】
前記受容皿は、前記球送り装置に向けてパチンコ球を送り込む送込通路とともに、前記遊技機本体の前面に組み付けられる下部ユニットに設けられており、
前記下部ユニットに、該下部ユニットの後面から露呈し、前記送込通路の下流側端部を遮蔽する位置に向けて付勢されるシャッタを設け、
前記下部ユニットの後面を遊技機本体の前面に対峙させる際に、前記送込通路の下流側端部を遮蔽する位置に保持されたシャッタを前記筒部に当接させて、該シャッタを付勢に抗して移動させることで、前記送込通路の下流側端部と前記受入口とを連通させることを特徴とする請求項２記載の弾球遊技機。
【発明の詳細な説明】
【技術分野】
【０００１】
本発明は、パチンコ店などの遊技場に設置される、例えばパチンコ機などの弾球遊技機に関するものである。
【背景技術】
【０００２】
パチンコ店などの遊技場に設置される弾球遊技機としてパチンコ機が挙げられる。このパチンコ機は、パチンコ球が打ち出される遊技領域と、この遊技領域の外周の一部に沿って設けられ、遊技の際に打ち出されたパチンコ球を遊技領域の上部に向けて案内する案内通路が形成された遊技盤が本体部材に組み付けられている。なお、この遊技盤の前面は、ガラス板を保持した前面扉によって被覆されることで、遊技領域を流下するパチンコ球、或いは案内通路を通過するパチンコ球の逸脱を防止される。例えば遊技領域内には、複数の釘、風車やセンター役物等の構造物が設けられる他、入賞チャッカー、始動チャッカー、アタッカなどの入賞装置が設けられた構成となっている。これら入賞装置にパチンコ球が入ると入賞となり、入賞に対する賞球として予め設定された数のパチンコ球を獲得することができる。なお、パチンコ球には一定の価値が与えられ、遊技を行うことで獲得したパチンコ球を種々の景品に交換することができる。
【０００３】
上述したパチンコ機は、遊技領域にパチンコ球を１球ずつ打ち出す発射装置と、該発射装置にパチンコ球を１球ずつ送り込む球送り装置とを備えている。発射装置は、球送り装置によって送り込まれるパチンコ球がセットされる装填部と、装填部にセットされたパチンコ球を叩いて遊技領域に向けて打ち出すノックアームと、ノックアームを回動させるロータリーソレノイド等の駆動源とを備えている。例えば、パチンコ機における遊技を行う場合には、パチンコ機の前面に設けられた操作ハンドルを操作することで、駆動源の作動によるノックアームの回動動作が行われ、このノックアームの回動動作時に装填部にセットされたパチンコ球が遊技領域に向けて打ち出される。そして、パチンコ球の打ち出しが行われた後に、球送り装置が作動して新たなパチンコ球が装填部に送り込まれる。これにより、パチンコ球の打ち出し動作が円滑に、また所定間隔で実行されることになる。
【０００４】
このような発射装置や球送り装置を備えたパチンコ機においては、上述した発射装置が本体部材に組み込まれたものが一般的である。一方、球送り装置は、発射装置に組み付けられるものや、本体部材に組み付けられる下部ユニットに組み付けられるもの等、種々の形態からなる。例えば本体部材に発射装置を、下部ユニットに球送り装置をそれぞれ組み付けた場合には、下部ユニットを本体部材から取り外すだけで、発射装置が露呈されることになるから、発射装置のメンテナンスを容易に行うことができるという利点がある。
【０００５】
一方、球送り装置を発射装置に組み付ける場合、以下の方法がある。例えば球送り装置によって、パチンコ球を、遊技盤面と略直交する方向に（例えば遊技者側から遊技盤側に向けて）送り込む場合には、球送り装置は発射装置よりも遊技者側に配置されることになる。この場合、発射装置のメンテナンスを行う際には、球送り装置を一旦取り外す必要があるため、球送り装置を発射装置に対して回動できるように軸支したものが提案されている（特許文献１）。これによれば、発射装置のメンテナンスの際には、球送り装置を発射装置から取り外す必要が無く、メンテナンスの際の作業性を向上させることができる。
【０００６】
しかしながら、パチンコ球を遊技盤面と略直交する方向に（例えば遊技者側から遊技盤側に向けて）送り込む場合には、送り込まれたパチンコ球が、送り込み方向に対して揺動することが多く、安定したパチンコ球の打ち出しを行うことが難しいという問題がある。このため、例えばパチンコ球の打出方向の上流側からパチンコ球を送り込むことが提案されている（特許文献２）。これにより、打ち出し方向に略垂直となる方向への揺動が防止されることから、安定したパチンコ球の打ち出しを行うことができるようになる。
【特許文献１】特開２００５−１５２２４７号公報
【特許文献２】特開２００４−３１３２４４号公報
【発明の開示】
【発明が解決しようとする課題】
【０００７】
上述した打ち出し方向の上流側からパチンコ球を送り込む場合、球送り装置を発射レールの上方に、かつパチンコ球の直径よりも広い間隔を空けて配置される。この場合、球送り装置によって送り込まれるパチンコ球は、発射レールと、球止め部との２点によって支持されることになる。この場合、発射装置によって打ち出されるパチンコ球は、発射レールに沿って打ち出されることになるが、球送り装置と発射レールとの相対位置がずれて組み込まれた場合には、発射レールに沿って打ち出されることができなくなることから、結果的に安定したパチンコ球の打ち出しを行うことができなくなるという問題がある。
【０００８】
本発明は、上記課題を解決するためになされたものであり、安定したパチンコ球の打ち出しを行うことができるようにした弾球遊技機を提供することを目的とする。
【課題を解決するための手段】
【０００９】
上記目的を達成するために、本発明の弾球遊技機は、打出位置にセットされたパチンコ球を遊技領域に打ち出す打出アームを備えた発射装置と、受容皿から整列された状態で送り込まれたパチンコ球を発射装置に向けて１球ずつ送り込む球送り装置とを備え、前記球送り装置及び発射装置が組み込まれる弾球遊技機において、前記球送り装置は、パチンコ球を１球ずつ送り出す送り出し機構と、該送り出し機構を保持するとともに、前記打出アームによって打ち出された直後のパチンコ球が通過する発射通路の一部を形成する外壁面を備えたケースとを有し、前記ケースの外壁面に、前記打ち出し位置に向けてパチンコ球を送り出す送出口と、前記送出口から送り出されたパチンコ球を受け入れて、該パチンコ球を取り囲む空間内に保持することで前記パチンコ球を打出位置にセットする球受け部とを設け、前記球受け部に、前記打出位置にセットされたパチンコ球を打出アームによって打ち出す際に、前記打出アームの打出杵が前記空間内に挿入される挿入部を備えたことを特徴とする。
【００１０】
また、前記発射装置は、前記遊技領域が形成される遊技盤を保持する遊技機本体に組み付けられ、且つ、前記打出アーム及び球送り装置が組み付けられるベース部材を備え、前記ケースは、前記ベース部材に組み付ける際に前記ベース部材と対峙する面とは反対側の面から突出する筒部を備え、この筒部の外壁面に、受容皿から送り込まれたパチンコ球を受け入れる受入口を設けたことを特徴とする。
【００１１】
また、前記受容皿は、前記球送り装置に向けてパチンコ球を送り込む送込通路とともに、前記遊技機本体の前面に組み付けられる下部ユニットに設けられており、前記下部ユニットに、該下部ユニットの後面から露呈し、前記送込通路の下流側端部を遮蔽する位置に向けて付勢されるシャッタを設け、前記下部ユニットの後面を遊技機本体の前面に対峙させる際に、前記送込通路の下流側端部を遮蔽する位置に保持されたシャッタを前記筒部に当接させて、該シャッタを付勢に抗して移動させることで、前記送込通路の下流側端部と前記受入口とを連通させることを特徴とする。
【発明の効果】
【００１２】
本発明の弾球遊技機によれば、打出位置にセットされたパチンコ球を遊技領域に打ち出す打出アームを備えた発射装置と、受容皿から整列された状態で送り込まれたパチンコ球を発射装置に向けて１球ずつ送り込む球送り装置とを備え、前記球送り装置及び発射装置が組み込まれる弾球遊技機において、前記球送り装置は、パチンコ球を１球ずつ送り出す送り出し機構と、該送り出し機構を保持するとともに、前記打出アームによって打ち出された直後のパチンコ球が通過する発射通路の一部を形成する外壁面を備えたケースとを有し、前記ケースの外壁面に、前記打ち出し位置に向けてパチンコ球を送り出す送出口と、前記送出口から送り出されたパチンコ球を受け入れて、該パチンコ球を取り囲む空間内に保持することで前記パチンコ球を打出位置にセットする球受け部とを設け、前記球受け部に、前記打出位置にセットされたパチンコ球を打出アームによって打ち出す際に、前記打出アームの打出杵が前記空間内に挿入される挿入部を備えたから、安定して打ち出し位置にセットすることができ、安定したパチンコ球の打ち出しを行うことが可能になる。また、球送り装置によって送り込まれるパチンコ球を複数の部材で支持する必要がなく、部品点数の削減化が図れ、球送り装置を精度良く発射装置に組み込むことで、安定したパチンコ球の打ち出しを行うことが可能となる。
【００１３】
また、前記発射装置は、前記遊技領域が形成される遊技盤を保持する遊技機本体に組み付けられ、且つ、前記打出アーム及び球送り装置が組み付けられるベース部材を備え、前記ケースは、前記ベース部材に組み付ける際に前記ベース部材と対峙する面とは反対側の面から突出する筒部を備え、この筒部の外壁面に、受容皿から送り込まれたパチンコ球を受け入れる受入口を設けたから、例えば受容皿から送り込まれるパチンコ球の送り込む経路を複雑な形状にする必要はない。
【００１４】
また、前記受容皿は、前記球送り装置に向けてパチンコ球を送り込む送込通路とともに、前記遊技機本体の前面に組み付けられる下部ユニットに設けられており、前記下部ユニットに、該下部ユニットの後面から露呈し、前記送込通路の下流側端部を遮蔽する位置に向けて付勢されるシャッタを設け、前記下部ユニットの後面を遊技機本体の前面に対峙させる際に、前記送込通路の下流側端部を遮蔽する位置に保持されたシャッタを前記筒部に当接させて、該シャッタを付勢に抗して移動させることで、前記送込通路の下流側端部と前記受入口とを連通させるから、例えば発射装置や球送り装置のメンテナンス作業時に下部ユニットを遊技機本体から取り外した場合に、送り込み過程にあるパチンコ球を誤って床面などに落下させることがない。
【発明を実施するための最良の形態】
【００１５】
図１に示すように、パチンコ機（弾球遊技機）２は、基体となる本体部材３に、上部扉４及び下部扉５からなる２枚の前面扉６が本体部材３に対して回動自在となるように、図示しないヒンジ部を介して組み付けられる。上部扉４の中央には開口４ａが設けられており、この開口４ａは上部扉４の裏側に取り付けられるガラス板２０等の透光性を有する部材により遮蔽される。なお、上部扉４が閉じている状態では、遊技の際に遊技領域３２（図２参照）を流下するパチンコ球１１０（図５参照）や、遊技領域３２に設けられた構造物は、上記開口４ａを遮蔽するガラス板２０（図２参照）を介して視認される。なお、符号８は、本体部材３を遊技場等に固定するための固定枠である。
【００１６】
下部扉（下部ユニット）５には、操作ハンドル１０や、受容皿１１等が設けられている。操作ハンドル１０は、例えば回転自在に設けられており、操作ハンドル１０を回転させると、内部に設けられた打出し用ボリューム（図示省略）が回転する。この回転を受けて、後述する発射装置４５が駆動して、打出し用ボリュームの回転量に合わせた打ち出し強さでパチンコ球１１０を遊技領域３２に向けて打ち出す。この打ち出しの後に、球送り装置６５が駆動して、パチンコ球１１０を発射装置４５に向けて送り込む。これにより、操作ハンドル１０が操作されると、発射装置４５によるパチンコ球１１０の打ち出し、及び球送り装置６５によるパチンコ球１１０の送り込みが交互に行われる。
【００１７】
受容皿１１は、上面が開口された形状から構成されている。この受容皿１１には、遊技を開始する際にパチンコ球１１０が供給される他に、遊技領域３２を流下するパチンコ球１１０が、遊技領域３２に設けられた入賞装置のいずれかに入賞したことを受けて払い出される賞球としてのパチンコ球１１０が受容される。なお、符号１２は、払出口であり、この払出口１２を介してパチンコ球１１０が払い出される。
【００１８】
この受容皿１１は送込通路１５と連通しており、払出口１２から払い出されたパチンコ球１１０は受容皿１１の一端から他端に向けて転動した後、送込通路１５へと転動する。そして、送込通路１５の内部を案内される過程でパチンコ球１１０が１列に整列される。なお、符号１６は仕切り板であり、払出口１２から払い出されたパチンコ球１１０が直接送込通路１５へと転動することを防止している。
【００１９】
図２に示すように、上部扉４と下部扉５とを開けると、上部扉４の後面４ｂには、開口４ａを塞ぐガラス板２０が露呈される。また、下部扉５の後面５ａには、送込通路１５を形成する通路形成部２１が露呈される。この通路形成部２１の下方には、シャッタ２５が設けられている。このシャッタ２５は、下部扉５の裏面５ａと垂直な方向にスライドでき、かつ下部扉５の裏面５ａから露呈するように組み込まれている。また、シャッタ２５は、圧縮バネ２６により、下部扉５の裏面５ａから突出する方向（図２中Ａ方向）に付勢されており、例えば下部扉５を開けると、送込通路１５の下流側端部に設けられた開口２７を遮蔽する。そして、下部扉５を閉じると、シャッタ２５に設けられた被押圧片２５ａが後述する球送り装置６５の筒部８０に当接される。この当接によって、送込通路１５の下流側端部に設けられた開口２７の遮蔽が解除され、球送り装置６５へのパチンコ球１１０の送り込みが行えるようになる。
【００２０】
一方、本体部材３の前面上部には遊技盤３０が露呈される。この遊技盤３０の前面には、ガイドレール３１によって囲まれた遊技領域３２と、該遊技領域３２に向けて打ち出されたパチンコ球１１０が通過する案内通路３３とが設けられている。このガイドレール３１によって形成される遊技領域３２には、その中央にセンター役物３５と呼ばれる構造物が設けられ、そのセンター役物３５の下方に、始動チャッカー３６、入賞チャッカー３７、アタッカ３８等の入賞装置が設けられている。なお、これら構造物や、入賞装置については周知であるので、ここではその詳細は省略する。このような遊技領域３２を流下するパチンコ球１１０は、上述した入賞装置に入賞する、或いは入賞しない場合には、アウト口４０によって回収される。
【００２１】
また、本体部材３の下部には、発射装置４５が露呈される。図３に示すように、発射装置４５は、打出機構５０、第１ストッパ５１、第２ストッパ５２、通路構成部材５３及びこれら部材を保持するベース板（ベース部材）５４とから構成されている。打出機構５０は、ノックアーム（打出しアーム）５５と、ロータリーソレノイド５６とから構成される。ノックアーム５５は、後述する球送り装置６５に設けられた球受け部７７に装填されたパチンコ球１１０を打ち出すために設けられている。このノックアーム５５は、ロータリーソレノイド５６の駆動軸５６ａに固定されており、ロータリーソレノイド５６への給電が行われると、ノックアーム５５は図３中Ｂ方向に回動し、ロータリーソレノイド５６への給電が停止されると、ノックアーム５５は図３中Ｃ方向に回動する。なお、このロータリーソレノイド５６への給電、及び給電停止は、制御装置６０によって制御される。
【００２２】
このノックアーム５５は、略へ字状の長片５５ａと、この長片５５ａに対して所定の角度空けて設けられた短片５５ｂとから構成され、長片５５ａの一端部と、短片５５ｂの一端部とがＶ字状に連なるように設けられている。この長片５５ａと短片５５ｂとが連なる箇所に図示しない挿通孔が設けられ、この挿通孔にロータリーソレノイド５６の駆動軸５６ａが固定される。また、長片５５ａの先端部には、ノックアーム５５が図３中Ａ方向に回動したときに、球受け部７７に設けられたスリット７８から、その内部に入り込む打出杵６１が設けられている。この打出杵６１は、その先端部が球受け部７７に設けられたスリット７８に入り込んだ際に、球受け部７７に装填されたパチンコ球１１０に下方から当接することで、球受け部に装填されたパチンコ球１１０を遊技領域３２に向けて打ち出す。
【００２３】
第１ストッパ５１は、ロータリーソレノイド５６への給電が行われたときに、図３中Ｂ方向に回動するノックアーム５５の短片５５ｂが当接され、ノックアーム５５の図３中Ｂ方向への回動を停止させる。このノックアーム５５が第１ストッパ５１と当接されたときに、ノックアーム５５の長片５５ａの先端部に設けられた打出杵６１が球受け部７７に装填されたパチンコ球１１０に当接される。
【００２４】
第２ストッパ５２は、ロータリーソレノイド５６への給電が停止された際に、図３中Ｃ方向に回動するノックアーム５５の長片５５ａが当接され、ノックアーム５５の回動を停止させる。通路構成部材５３は、後述する球送り装置６５とともに発射通路６２を構成する。
【００２５】
また、ベース板５４には、上述した部材の他に、球送り装置６５が組み付けられる。図４及び図５に示すように、球送り装置６５は、ケース７０と、送出機構７１とから構成される。なお、この球送り装置６５は、通路構成部材５３と、例えばパチンコ球１１０の直径よりも広い間隔を空けてベース板５４に組み付けられている。なお、以下に示す送出機構７１の構成は、その一例を示すものであり、本実施形態に限定されるものではない。
【００２６】
ケース７０は、略方形状から構成されている、このケース７０は、その上面７０ａであって、通路構成部材５３と対面する端部に、上方に突出する突出片７５を備えている。この突出片７５を設けることで、ケース７０と通路構成部材５３との間の空間が発射通路６２となる。また、ケースの側面７０ｂの略中央には開口７６が設けられており、内部に設けられた送り通路８２を通過したパチンコ球１１０が排出される排出口となる。なお、以下では、開口７６を排出口（送出口）７６と称して説明する。
【００２７】
ケース７０の側面７０ｂであって、排出口７６の下部には、球受け部７７が設けられている。この球受け部７７は、上方が開口された箱形状から構成されている。この球受け部７７の側面のうち、通路構成部材５３と対面する側面７７ａから底面７７ｂにかけて湾曲している。また、この球受け部７７の側面７７ａから底面７７ｂにかけて、例えばノックアーム５５の打出杵６１の先端部の直径よりも広く、パチンコ球１１０の直径よりも小さい幅のスリット（挿入部）７８が形成されている。
【００２８】
また、ケース７０の前面７０ｃには、該前面７０ｃから突出する前面が閉口された方形状の筒部８０が設けられている。この筒部８０の上面８０ａには開口８１が設けられている。この開口８１は、下部扉５が閉じているときに、送込通路１５の下流側端部を形成する通路形成部２１に形成された開口２７と連通され、送込通路１５を案内されるパチンコ球１１０が開口８１を介して球送り装置６５の内部に送り込まれる。以下、この開口８１を流入口（受入口）８１として説明する。なお、ケース７０の内部には、流入口８１と、排出口７６とを結ぶ略Ｌ字状の送り通路８２が設けられている。なお、この送り通路８２が折れ曲がる部分の下面には開口８３が設けられており、この開口８３を介して送出機構７１の球送り羽根９０が送り通路８２の内部に入り込む。
【００２９】
送出機構７１は、球送り羽根９０と、ソレノイド９１から構成されている。球送り羽根９０は、その一端に挿通孔９０ａが設けられ、この挿通孔９０ａにケース７０に設けられた回動軸８５が挿通されることにより、送り通路８０の内部に突出し、送り通路８２内にあるパチンコ球１１０の転動を防止する位置（以下、図５中実線）と、送り通路８２内にあるパチンコ球１１０を排出口７６に向けて送り出す位置（以下、図５中二点差線）との間で回動する。この球送り羽根９０は、ソレノイド９１の駆動鉄芯１００の先端に設けられた保持部１０２に保持されることで、球送り羽根９０とソレノイド９１とを連結させる連結ピン９５を備えている。なお符号９６は、球送り羽根９０の周壁面から突出する座部であり、この座部９６に連結ピン９５が設けられている。
【００３０】
ソレノイド９１は駆動鉄芯１００とボビン１０１とから構成されている。駆動鉄芯１００は、その先端に連結ピン９５を保持する保持部１０２が設けられている。この保持部１０２は、略コ字状から形成され、駆動鉄芯１００の長手方向に所定の間隔を空けた２つの挟持片１０２ａ，１０２ｂを備えている。これら挟持片１０２ａ，１０２ｂの間に連結ピン９５が挿入されることで、駆動鉄芯１００と連結ピン９５とが連結される。なお、このソレノイド９１は、制御装置６０によって給電及び給電停止が制御される。
【００３１】
この駆動鉄芯１００は、制御装置６０による給電が停止されている状態では、コイルバネ１０３の付勢によって、図５中Ｄ方向に付勢されている。これにより、球送り羽根９０は、送り通路８２に設けられた開口８３の周縁部８３ｂに当接された状態で保持される。制御装置６０によってソレノイド９１への給電が行われると、駆動鉄芯１００がボビン１０１の内部に引き込まれる（図５中Ｅ方向に移動する）。駆動鉄芯１００に設けられた保持部１０２は、球送り羽根９０の連結ピン９５と連結されていることから、駆動鉄芯１００がボビン１０１の内部に引き込まれると、球送り羽根９０が図５中Ｆ方向に回動する。そして、球送り羽根９０の周壁面がケース７０に設けられたストッパ１０５に当接されると、その回動が停止され、図５中二点差線で示す位置に保持される。
【００３２】
一方、ソレノイド９１への給電が停止されると、コイルバネ１０３の付勢によって駆動鉄芯１００がボビン１０１から引き出される（図５中Ｄ方向に移動する）ので、球送り羽根９０が図５中Ｇ方向に回動する。そして、球送り羽根９０の周壁面が開口８３の周縁部８３ｂに当接されると、その回動が停止され、図５中実線で示す位置に保持される。この球送り羽根９０の回動によって送り通路８２の内部にあるパチンコ球１１０が排出口７６へ向けて転動し、排出口７６から球受け部７７へと排出される。なお、筒部８０の内部に残留するパチンコ球１１０は、例えば遊技者などの操作に基づいてリンクする回収シャッタ１０７を図４中Ｊ方向に移動させることで回収可能となる。
【００３３】
次に、本実施形態の作用について説明する。遊技者が操作ハンドルを操作すると、制御部は、操作ハンドル１０の操作量に応じた打ち出し強さとなるように、ロータリーソレノイド５６への給電、給電停止を行う。ロータリーソレノイド５６への給電を所定時間行うと、ロータリーソレノイド５６の駆動軸５６ａが回転するので、この駆動軸５６ａに固定されたノックアーム５５が図３中Ｂ方向に回動する。ノックアーム５５が回動した後、ノックアーム５５の短片５５ｂが第１ストッパ５１に当接される直前で、打出杵６１の先端が球受け部７７に設けられたスリット７８からその内部に入り込み、球受け部７７にセットされたパチンコ球１１０に当接される。これにより、パチンコ球１１０が打ち出される。なお、打ち出されたパチンコ球１１０は、発射通路６２を介して遊技領域３２に向けて移動される。その後、ロータリーソレノイド５６への給電が停止されると、第１ストッパ５１に当接されたノックアーム５５は、図３中Ｃ方向に回動する。この回動の際に、第２ストッパ５２にノックアーム５５の長片５５ａが当接され、ノックアーム５５の回動が停止される。
【００３４】
ロータリーソレノイド５６への給電が停止された後、制御装置６０は、球送り装置６５のソレノイド１０１への給電を行う。この給電により、球送り羽根９０が図５中Ｆ方向に回動する。これにより、球送り羽根９０が送り通路８２から退避するので、球送り羽根９０によって、その転動が停止されていたパチンコ球１１０が排出口７６に向けて転動する。その後、ソレノイド１０１への給電を停止すると、球送り羽根９０が図５中Ｇ方向に回動し、送り通路８２の内部に入り込み、送り通路８２の内部にあるパチンコ球１１０を停止させる。これにより、下流側にあるパチンコ球１１０のみが排出口７６へと転動し、排出口７６から球受け部７７へと落下する。
【００３５】
球受け部７７に落下したパチンコ球１１０は、球受け部７７の内部で揺動するが、球受け部７７がケース７０の側面７０ｂに向けて傾斜していることから、パチンコ球１１０がケース７０の側面７０ｂに当接された状態となる。これにより、パチンコ球１１０が打出位置にセットされる。また、球受け部７７にスリット７８が形成されることで、球受け部７７に落下したパチンコ球１１０の一部がスリット７８に入り込むので、前後方向におけるパチンコ球１１０の位置決めが行われる。これにより、発射装置が駆動することで、発射されるパチンコ球１１０が安定して打ち出されることになる。なお、操作ハンドル１０が操作されている場合には、上述した発射装置４５、球送り装置６５が交互に作動されることで、パチンコ球１１０が連続して遊技領域３２に向けて打ち出される。
【００３６】
例えば発射装置４５や球送り装置６５のメンテナンスを行う場合には、遊技場の店員は、上部扉４及び下部扉５を開けることになる。例えば下部扉５を開けると、下部扉５の裏面５ａと、球送り装置６５の筒部８０との間が広がることから、コイルバネ２６によって付勢されているシャッタ２５が突出し、通路形成部２１に設けられた開口２７を遮蔽する（図７参照）。これにより、例えば、送込通路１５の内部に位置しているパチンコ球１１０を遊技場の床面に落下させずに済む。
【００３７】
発射装置４５や球送り装置６５のメンテナンスが終了した後、下部扉５を閉じると、シャッタ２５が球送り装置６５の筒部８０に当接され、シャッタ２５のみの移動が規制される。これにより、通路形成部２１の開口２７とシャッタ２５との相対位置が変化し、開口２７が露呈される。なお、開口２７が露呈されると、球送り装置６５の筒部８０の上面８０ａに形成された流入口８１と通路形成部２１の開口２７とが連通される（図６参照）。これにより、送込通路１５の下流側に位置するパチンコ球１１０が筒部８０の内部に、つまり送り通路８２の内部に落下する。
【００３８】
本実施形態では、下部ユニットとして本体部材に対して回動する下部扉を例に取り上げているが、これに限定する必要はなく、例えば、本体部材に組み付けられる下部ユニットであってもよい。
【図面の簡単な説明】
【００３９】
【図１】本発明のパチンコ機の外観を示す斜視図である。
【図２】前面扉を開放したときの本体部材の構成を示す斜視図である。
【図３】発射装置と、球送り装置とを示す斜視図である。
【図４】球送り装置の構成を示す斜視図である。
【図５】発射装置の構成を示す正面図である。
【図６】下部扉が閉じているときの発射装置近傍の構成を示す斜視図である。
【図７】下部扉が開いたときの発射装置近傍の構成を示す斜視図である。
【符号の説明】
【００４０】
２  パチンコ機（弾球遊技機）
３  本体部材（遊技機本体）
５  下部扉（下部ユニット）
１１  受容皿
１５  送込通路
２５  シャッタ
３０  遊技盤
３２  遊技領域
４５  発射装置
５４  ベース板（ベース部材）
５５  ノックアーム（打出しアーム）
６１  打出杵
６２  発射通路
６５  球送り装置
７０  ケース
７１  送出機構
７６  排出口（送出口）
７７  球受け部
７８  スリット（挿入部）
８１  流入口（受入口）
【図１】
2008036310.tif 000003
【図２】
2008036310.tif 000004
【図３】
2008036310.tif 000005
【図４】
2008036310.tif 000006
【図５】
2008036310.tif 000007
【図６】
2008036310.tif 000008
【図７】
2008036310.tif 000009